(57)【要約】  本発明は条件付きアクセスコンテンツ(Ｃ０)の使用を制御する方法に関するものであり、前記コンテンツは管理センター（ＣＧ）に接続している複数のマルチメディアユニット（ＳＴＢ）に送られる。方法は、制御されるコンテンツ使用タイプを規定する段階と、これらの制御されたコンテンツ使用タイプに対する条件値を設定することによって、少なくとも２つの制御されたコンテンツ使用タイプに対する一組の使用規則（ＵＲ）を規定する段階と、前記少なくとも２つの制御されたコンテンツ使用タイプの１つの使用規則を関連付けることによって、少なくとも２つのコンテンツプロファイル（ＣＰ）を規定する段階と、コンテンツプロファイル（ＣＰ）を含む管理メッセージを前記管理センターにリンクした少なくとも１組のマルチメディアユニット（ＳＴＢ）に送る段階と、コンテンツプロファイル（ＣＰ）を関係のマルチメディアユニットに格納する段階と、条件付きアクセスコンテンツ(Ｃ０)を送り、コンテンツ(Ｃ０)にリンクされることになっているコンテンツプロファイル（ＣＰ）を決定するための手段を少なくとも含む制御メッセージ（ＥＣＭ）を一緒に送る段階と、更に、マルチメディアユニットによる暗号化されたコンテンツ(Ｃ０)及び対応する制御メッセージ（ＥＣＭ）の受信に応じて、コンテンツにリンクされることになっているコンテンツプロファイルを決定するための手段を引き出す段階と、マルチメディアユニットにおいて、コンテンツにリンクされることになっているコンテンツプロファイルを決定するための手段に対応するコンテンツプロファイルを検索する段階と、コンテンツにリンクされることになっているコンテンツプロファイルに含まれる使用規則に従ってマルチメディアユニットによって、コンテンツ(Ｃ０)を使用する段階とを含む。本発明は更に、前記方法を実施するためのマルチメディアユニットに関する。
2011525084.tif 000002
【特許請求の範囲】
【請求項１】
条件付きアクセスコンテンツ(Ｃ０)の使用を制御する方法において、前記コンテンツは管理センター（ＣＧ）に接続している複数のマルチメディアユニット（ＳＴＢ）に送られる方法であって、
制御されたコンテンツ使用タイプを規定する段階と、
これらの制御されたコンテンツ使用タイプに対する条件値を設定することによって、少なくとも２つの制御されたコンテンツ使用タイプに対する一組の使用規則（ＵＲ）を規定する段階と、
前記少なくとも２つの制御されたコンテンツ使用タイプの１つの使用規則を関連付けることによって、少なくとも２つのコンテンツプロファイル（ＣＰ）を規定する段階と、
前記コンテンツプロファイル（ＣＰ）を含む管理メッセージを前記管理センターにリンクした少なくとも１組のマルチメディアユニット（ＳＴＢ）に送る段階と、
前記コンテンツプロファイル（ＣＰ）を前記関係するマルチメディアユニットに格納する段階と、
前記条件付きアクセスコンテンツ(Ｃ０)を送り、前記コンテンツ(Ｃ０)にリンクされることになっている前記コンテンツプロファイル（ＣＰ）を決定するための手段を少なくとも含む制御メッセージ（ＥＣＭ）を一緒に送る段階と、
更に、前記暗号化されたコンテンツ(Ｃ０)及び前記対応する制御メッセージ（ＥＣＭ）のマルチメディアユニットによる受信に応じて、前記コンテンツにリンクされることになっている前記コンテンツプロファイルを決定するための前記手段を引き出す段階と、
前記マルチメディアユニットにおいて、前記コンテンツにリンクされることになっている前記コンテンツプロファイルを決定するための前記手段に対応する前記コンテンツプロファイルを検索する段階と、
前記コンテンツにリンクされることになっている前記コンテンツプロファイルに含まれる前記使用規則に従って前記マルチメディアユニットによって、前記コンテンツ(Ｃ０)を使用する段階と、
を含む方法。
【請求項２】
前記コンテンツにリンクされることになっている前記コンテンツプロファイルを決定するための前記手段が、コンテンツプロファイル識別子を含むことを特徴とする請求項１記載の方法。
【請求項３】
前記コンテンツにリンクされることになっている前記コンテンツプロファイルを決定するための前記手段が、コンテンツプロファイル識別子（ＣＰ＿ＩＤ）／ユーザプロファイル識別子（ＵＰ＿ＩＤ）の少なくとも２つの対のセットを備え、該方法は、
前記管理センター（ＣＧ）において、各マルチメディアユニット（ＳＴＢ）をユーザプロファイル（ＵＰ）と関連付ける段階と、
各マルチメディアユニット（ＳＴＢ）に対応する前記ユーザプロファイル（ＵＰ）に送る段階とを更に含み、
更に、前記ユーザプロファイル識別子が前記マルチメディアユニットの前記ユーザプロファイルに対応するように、前記コンテンツプロファイルを決定するための手段を引き出す前記段階が、ユーザプロファイル識別子／コンテンツプロファイル識別子の前記対を決定する段階を含み、前記コンテンツプロファイルを決定するための前記手段に対応する前記コンテンツプロファイルを検索する前記段階が、ユーザプロファイル識別子／コンテンツプロファイル識別子の前記対の前記コンテンツプロファイル識別子を使用することを特徴とする請求項１記載の方法。
【請求項４】
前記コンテンツプロファイルにリンクされる前記コンテンツ(Ｃ０)の前記使用が、前記コンテンツプロファイルと関連付けた前記コンテンツを前記マルチメディアユニットのメモリに記憶することに依存することを特徴とする請求項１記載の方法。
【請求項５】
前記コンテンツプロファイルにリンクされる前記コンテンツ(Ｃ０)の使用が、前記コンテンツにアクセスすることに依存することを特徴とする請求項１記載の方法。
【請求項６】
前記コンテンツプロフィール（ＣＰ）が前記管理センターに接続しているすべての前記マルチメディアユニットに送られることを特徴とする請求項１記載の方法。
【請求項７】
前記コンテンツプロファイル（ＣＰ）が広域エンタイトルメント管理メッセージ（ＥＭＭ―Ｇ）で送られることを特徴とする請求項１記載の方法。
【請求項８】
前記ユーザプロファイル（ＵＰ）が固有又は共有のエンタイトルメント管理メッセージ（ＥＭＭ―Ｕ、ＥＭＭ―Ｓ）で送られることを特徴とする請求項３記載の方法。
【請求項９】
コンテンツプロファイル（ＣＰ）を構成している前記使用規則（ＵＲ）が、広域エンタイトルメント管理メッセージ（ＥＭＭ―Ｇ）で前記コンテンツプロファイル識別子と共に別に送られることを特徴とする請求項１記載の方法。
【請求項１０】
前記マルチメディアユニットが、前記同じコンテンツプロファイル識別子を有する前記使用規則をグループ化することによって、前記コンテンツプロファイル（ＣＰ）を再構成することを特徴とする請求項９記載の方法。
【請求項１１】
前記マルチメディアユニットが前記再構成されたコンテンツプロファイル（ＣＰ）を格納することを特徴とする請求項１０記載の方法。
【請求項１２】
前記マルチメディアユニットが前記使用規則（ＵＲ）を格納することを特徴とする請求項９記載の方法。
【請求項１３】
前記マルチメディアユニットが、前記コンテンツプロファイル識別子を前記制御メッセージで受信するとき、前記コンテンツプロファイルを再構成することを特徴とする請求項１２記載の方法。
【請求項１４】
少なくとも１つの使用タイプの少なくとも１つの条件値が前記使用規則の中で規定されないことを特徴とする請求項１記載の方法。
【請求項１５】
少なくとも１つの使用タイプの前記欠落した条件値が前記制御メッセージで送信されることを特徴とする請求項１４記載の方法。
【請求項１６】
マルチメディアユニットが、デフォルト値のセットを用いて少なくとも１つの使用タイプの前記欠落した条件値を規定することを特徴とする請求項１４記載の方法。
【請求項１７】
前記デフォルト値のセットが、広域エンタイトルメント管理メッセージ（ＥＭＭ―Ｇ）で前記管理センターに接続しているすべてのマルチメディアユニットに送られることを特徴とする請求項１６記載の方法。
【請求項１８】
条件付きアクセスコンテンツ(Ｃ０)の使用を制御する方法において、前記コンテンツは管理センター（ＣＧ）に接続している複数のマルチメディアユニット（ＳＴＢ）に送られる方法であって、
制御されたコンテンツ使用タイプを規定する段階と、
これらの制御されたコンテンツ使用タイプに対する条件値を設定することによって、少なくとも２つの制御されたコンテンツ使用タイプに対する一組の使用規則（ＵＲ）を規定する段階と、
前記少なくとも２つの制御されたコンテンツ使用タイプの１つの使用規則を関連付けることによって、少なくとも２つのコンテンツプロファイル（ＣＰ）を規定する段階と、
少なくとも２つのコンテンツプロファイルファミリー（ＣＰＦ）を規定する段階であって、各ファミリーは少なくとも１つのコンテンツプロファイル（ＣＰ）を含み、各コンテンツプロファイルファミリーは固有識別子を更に含む段階と、
前記管理センター（ＣＧ）において、各マルチメディアユニットをユーザプロファイル（ＵＰ）と関連付ける段階と、
各ユーザプロファイルを各コンテンツプロファイルファミリー（ＣＰＦ）の１つのコンテンツプロファイル（ＣＰ）と関連付ける段階と、
各ファミリーの前記コンテンツプロファイルを前記関係するマルチメディアユニットに送る段階と、
各コンテンツプロファイルファミリーの前記コンテンツプロファイル（ＣＰ）を前記関係のマルチメディアユニットに格納する段階と、
前記条件付きアクセスコンテンツ(Ｃ０)を送り、使われることになっている前記コンテンツプロファイルファミリー（ＣＰＦ）を決定するための手段を少なくとも含む制御メッセージ（ＥＣＭ）を一緒に送る段階と、
更に、前記暗号化されたコンテンツ(Ｃ０)及び前記対応する制御メッセージ（ＥＣＭ）のマルチメディアユニットによる受信に応じて、前記コンテンツにリンクされることになっている前記コンテンツプロファイルファミリーを決定するための前記手段を引き出す段階と、
前記マルチメディアユニットにおいて、前記コンテンツにリンクされることになっている前記コンテンツプロファイルファミリーを決定するための前記手段に対応する前記コンテンツプロファイルファミリーを検索する段階と、
前記マルチメディアユニットにおいて、前記決定されたコンテンツプロファイルファミリーの前記コンテンツプロファイルの中で前記コンテンツにリンクされる前記コンテンツプロファイルを検索する段階と、
前記コンテンツにリンクされることになっている前記コンテンツプロファイルに含まれる前記使用規則に従って前記マルチメディアユニットによって、前記コンテンツ(Ｃ０)を使用する段階と、
を含む方法。
【請求項１９】
前記コンテンツにリンクされることになっている前記コンテンツプロファイルを決定するための前記手段が、コンテンツプロフィール識別子を含むことを特徴とする請求項１８記載の方法。
【請求項２０】
前記コンテンツプロファイルファミリーにリンクされる前記コンテンツ(Ｃ０)の前記使用が、前記コンテンツプロファイルと関連付けた前記コンテンツを前記マルチメディアユニットのメモリに記憶することに依存することを特徴とする請求項１８記載の方法。
【請求項２１】
前記コンテンツプロファイルファミリーにリンクされる前記コンテンツ(Ｃ０)の使用が、前記コンテンツにアクセスすることに依存することを特徴とする請求項１８記載の方法。
【請求項２２】
各ファミリーの前記コンテンツプロファイルが固有又は共有のエンタイトルメント管理メッセージ（ＥＭＭ―Ｕ、ＥＭＭ―Ｓ）で送られることを特徴とする請求項１８記載の方法。
【請求項２３】
請求項１〜２２のいずれか１項に記載の方法を実施するための手段を備えるマルチメディアユニット。
【発明の詳細な説明】
【技術分野】
【０００１】
本発明は、一般的にコンテンツ保護技術の分野に関し、より詳細には、条件付きアクセスコンテンツの使用を制御する方法を提案し、前記コンテンツは管理センターに接続している複数のマルチメディアユニットに送られる。それは前記方法を実施するためのマルチメディアユニットにも関する。
【０００２】
本方法及びマルチメディアユニットは特に有料テレビの分野において使用できて、そこではコンテンツへのアクセスはアクセス条件により制御され、コンテンツの一般的使用は使用規則により制御される。
【０００３】
本発明は、コンテンツ保護及びコピー管理（ＣＰＣＭ）と呼ばれるデジタルビデオ放送（ＤＶＢ）標準に用いられるときに、特に興味深い。しかしながら、本発明はＤＶＢ又はＣＰＣＭに限定されないことを理解すべきである。第１に、ＣＰＣＭは、許可された領域（移動装置及び遠隔装置を含むホームネットワークの延長部）のコンテンツの管理に適用される。ＣＰＣＭはＤＲＭインターオペラビリティ・プラットフォームとして使用でき、ＣＰＣＭ対応装置は、各装置の間で、及び信頼できる第三者機関のデジタル著作権管理（ＤＲＭ）を実施する装置との間でイベントを転送できることを確実にする。
【背景技術】
【０００４】
コンテンツ保護技術は、コンテンツ及び使用規則の暗号化、コンテンツと結合する使用規則、及び使用規則施行に関するものである。使用規則は、消費、コピー、及び移動等の、イベント又はコンテンツ処理に適用される許可及び制限を管理する。
【０００５】
「コンテンツ」は、以下では、使用規則に従ういかなるデジタル・メディア・オブジェクトも意味し、それは商業的価値を有する。
【０００６】
コンテンツ保護技術（ＣＰＴ）は、許可された領域（移動装置及び遠隔装置を含むホームネットワークの延長部）のコンテンツの管理に適用される。コンテンツは暗号化され、使用規則を埋め込んでいるコンテンツライセンス（ＣＬ）に暗号によって結び付けられる。
【０００７】
レンタル期間、同時視聴制御、及び遠隔アクセス許可のような特徴は、ユーザによる柔軟なコンテンツ処理だけでなく高度なビジネス・モデルも可能にする。
【０００８】
既存のＣＡＳビジネス・モデルを強化するためにＣＰＴを使用できる。典型的実施例は商業的価値の高い映画の放送により提供される。ＣＡＳは、ペイ・パー・ビュー（ＰＰＶ）又はビデオ・オン・デマンド（ＶＯＤ）と呼ばれる、イベント毎のベースで対応するコンテンツにアクセスできるプロダクトを販売する手段を有する。このイベントはユーザ領域のコンテンツ保護技術のもとでのコンテンツとして得られるということを知って、我々は使用規則を使用して、映画のコピーを禁ずるが、遠隔アクセスを認可する（それで、ユーザはイベントを前もって注文し、それが放送されるときはいかなる場所でもそれを消費できる）。これはユーザ領域に対するＰＰＶ又はＶＯＤの第一の概念の自然な補強である。
【０００９】
補足的な実施例はスポーツ・イベント・チャンネルの放送により提供される。ＣＡＳは、加入と呼ばれる、チャンネルにアクセスできるプロダクトを販売する方法を有する。第一の概念の自然な補強は、放送中に遠隔アクセスを禁ずることであるが、コピーを可能にし（スポーツ・イベントの価値はそれが生放送のイベントである事実にあるので）、そして一旦イベントが終わると、記録に遠隔でアクセスすることを許可することである。
【００１０】
ユーザ領域において、ＰＰＶ、ＶＯＤ、又は加入イベントのこれらの拡張した概念を広める技術的な手段は、ＣＡＳエンタイトルメント制御メッセージ（ＥＣＭ）を用いて使用規則を確実に知らせることであり、ＥＣＭ対コンテンツのライセンス翻訳を実施する。
【発明の概要】
【発明が解決しようとする課題】
【００１１】
この解決策にはいくつかの欠点がある。それらのうちの１つは、使用規則が非常に大規模なことがあるという事実に由来する。従って、使用規則をＥＣＭに導入するには、ＥＣＭのサイズを変える必要がある。これは、受信機がこれらのＥＣＭを処理することを可能にするために更新されなければならないことを意味する。これはまた、帯域幅が有益なコンテンツよりもむしろＥＣＭを送るために用いられることを意味する。すべてのこれらの特徴は、複雑な規則がこの種のシステムで使用できないことを意味する。
【００１２】
この解決策の別の欠点は、いくつかのコンテンツ保護技術をホームネットワークで対象としなければならない場合は、いくつかの使用規則を知らせなければならないということである。これはまた、実施できる規則の複雑さ及び使用規則の数を制限する。
【００１３】
対象にされたコンテンツ保護技術の仕様は進化する可能性がある。第三者技術（例えば標準技術）を使用する場合に、この進化は管理センターによって制御されない。進化はエンタイトルメント制御メッセージ・フォーマットの変更を意味する可能性がある。変更は管理センターと独立してなされなければならない。
【課題を解決するための手段】
【００１４】
これらの欠点を解決するために、本発明は条件付きアクセスコンテンツの使用を制御する方法を提案し、前記コンテンツは管理センターに接続している複数のマルチメディアユニットに送られ、前記方法は、
制御されたコンテンツ使用タイプを規定する段階と、
これらの制御されたコンテンツ使用タイプに対する条件値を設定することによって、少なくとも２つの制御されたコンテンツ使用タイプに対する一組の使用規則を規定する段階と、
前記少なくとも２つの制御されたコンテンツ使用タイプの１つの使用規則を関連付けることによって、少なくとも２つのコンテンツプロファイルを規定する段階と、
前記コンテンツプロファイルを含む管理メッセージを前記管理センターにリンクした少なくとも１組のマルチメディアユニットに送る段階と、
前記コンテンツプロファイルを関係する前記マルチメディアユニットに格納する段階と、
条件付きアクセスコンテンツを送り、前記コンテンツにリンクされることになっているコンテンツプロファイルを決定するための手段を少なくとも含む制御メッセージを一緒に送る段階と、
更に、暗号化されたコンテンツ及び前記対応する制御メッセージのマルチメディアユニットによる受信に応じて、前記コンテンツにリンクされることになっているコンテンツプロファイルを決定するための手段を引き出す段階と、
前記マルチメディアユニットにおいて、前記コンテンツにリンクされることになっているコンテンツプロファイルを決定するための手段に対応する前記コンテンツプロファイルを検索する段階と、
前記コンテンツにリンクされることになっているコンテンツプロファイルに含まれる使用規則に従って前記マルチメディアユニットによって前記コンテンツを使用する段階と、を含む。
【００１５】
本発明の目的は、条件付きアクセスコンテンツの使用を制御する方法によっても達成され、前記コンテンツは管理センターに接続している複数のマルチメディアユニットに送られ、前記方法は、
制御されたコンテンツ使用タイプを規定する段階と、
これらの制御されたコンテンツ使用タイプに対する条件値を設定することによって、少なくとも２つの制御されたコンテンツ使用タイプに対する一組の使用規則を規定する段階と、
前記少なくとも２つの制御されたコンテンツ使用タイプの１つの使用規則を関連付けることによって少なくとも２つのコンテンツプロファイルを規定する段階と、
少なくとも２つのコンテンツプロファイルファミリーを規定する段階であって、各ファミリーは少なくとも１つのコンテンツプロファイルを含み、各コンテンツプロファイルファミリーは固有識別子を更に含む段階と、
管理センターにおいて、各マルチメディアユニットをユーザプロファイルと関連付ける段階と、
各ユーザプロファイルを各コンテンツプロファイルファミリーの１つのコンテンツプロファイルと関連付ける段階と、
各ファミリーの前記コンテンツプロファイルを関係するマルチメディアユニットに送る段階と、
各コンテンツプロファイルファミリーの前記コンテンツプロファイルを前記関係するマルチメディアユニットに格納する段階と、
条件付きアクセスコンテンツを送り、使われることになっているコンテンツプロファイルファミリーを決定するための手段を少なくとも含む制御メッセージを一緒に送る段階と、
更に、暗号化されたコンテンツ及び対応する制御メッセージのマルチメディアユニットによる受信に応じて、前記コンテンツにリンクされることになっている前記コンテンツプロファイルファミリーを決定するための前記手段を引き出す段階と、
前記マルチメディアユニットにおいて、前記コンテンツにリンクされることになっている前記コンテンツプロファイルファミリーを決定するための前記手段に対応する前記コンテンツプロファイルファミリーを検索する段階と、
前記マルチメディアユニットにおいて、前記決定されたコンテンツプロファイルファミリーの前記コンテンツプロファイルの中で前記コンテンツにリンクされる前記コンテンツプロファイルを検索する段階と、
前記コンテンツにリンクされることになっている前記コンテンツプロファイルに含まれる前記使用規則に従って前記マルチメディアユニットによって前記コンテンツを使用する段階と、を含む。
【００１６】
本発明の目的は、本発明の方法を実施するための手段を備えるマルチメディアユニットによっても達成される。
【００１７】
ＥＣＭ帯域幅を節約するために、ＣＡＳは、所定の使用規則（ＵＲ）、即ち、制御される使用タイプを規定するパラメータ・セットの可能性がある値を規定することによって得られる、使用タイプの別々の状態、例えば、１日、３日、及び１週それぞれのレンタル期間を規定する３つの規則、同時ビュー・カウントをいくつかの値に固定する規則、又はその後に遠隔アクセスが許される日付を規定する規則を使用できる。同時ビュー・カウントにおいて、ユーザは、そのユーザ領域の中で所定の数のスクリーン上でコンテンツを同時に見ることができる。
【００１８】
概念は、コンテンツを消費するいろいろな方法がいろいろなユーザにいろいろな価格で販売されるケースまで拡張できる。ここで、ＣＡＳは、ユーザが購入できるユーザプロファイル（ＵＰ）を規定できる。次に、それはイベントとともに適用対｛ＵＲ識別子、ＵＰ識別子｝を知らせる。受信機は、ユーザプロファイル識別子がそれ自体のユーザプロファイルに一致する対の使用規則を適用する。ユーザプロファイルの使用は、最も快適な／制限なしの使用規則を販売することによって、収益性を増大させることを可能にする。
【００１９】
本発明及びその利点は、添付図面及びいくつかの実施形態の詳細な説明を参照してより良く理解される。
【図面の簡単な説明】
【００２０】
【図１】本発明の方法において用いられる使用規則の実施例を示す。
【図２】本発明において用いられるコンテンツプロファイルを表す。
【図３】本発明の方法の第１実施形態を示す。
【図４】本発明の方法の第２実施形態を示す。
【図５】本発明の第３実施形態を示す。
【発明を実施するための形態】
【００２１】
本発明によれば、デジタルコンテンツ又はイベントの使用を制御する方法が提供される。以下、イベントは、例えば、映画、スポーツ・イベント、又は音楽を形成する一組のデジタルデータに関連する。イベントは管理センターＣＧに関連するプロバイダによって送られる。これらのイベントは複数のマルチメディアユニットＳＴＢに放送される。放送される前に、イベントは、制御語と呼ばれるキーによって暗号化されるブロックに分割される。この種の制御語は、通常、２〜１０秒のイベントに対応するコンテンツを明確に解読するために用いる。もちろん、他の値、例えば全イベントのための１つの制御語も可能である。イベントに対応するブロックの部分は、以下コンテンツと呼ばれる。
【００２２】
一旦イベントがマルチメディアユニットにより受信されると、コンテンツ保護技術はコンテンツを管理することを担い、特にユーザに許されるコンテンツ使用を制御することである。管理センターは、多くのパラメータによってイベントと共にこの制御されたコンテンツ使用を知らせる。これらのパラメータは、マルチメディアユニットにより実施される関係するコンテンツ保護技術に従って解釈できる。これらのパラメータは制御される使用タイプに分類でき、各タイプはコンテンツ管理の特定の態様に関する。使用タイプの実施例は、「レンタル期間（ＲＰ）」、「コピー（ＣＹ）」、「遠隔アクセス日付（ＲＡＤ）」、「出力制御（ＯＣ）」などである。
【００２３】
本発明の方法によれば、１つ以上の使用規則が規定される。使用規則は、所与の制御される使用タイプの例示、即ち、イベント又はコンテンツがこの特定の制御される使用タイプに関するマルチメディアユニットに受信されるか又は格納されるときに、イベント又はコンテンツによって何ができるかについて特定するパラメータ値の設定である。例えば、ある使用規則は、イベントのコピーが禁止されることを規定できる。別の使用規則は、イベントに対する遠隔アクセスが許可されることを規定できる。
【００２４】
図１は、可能な使用規則の実施例を示す。第１使用規則ＵＲ１１はレンタル期間の条件値を規定する。ここで、レンタル期間は１日である。レンタル期間は、使用規則ＵＲ１２に対して３日であり、使用規則ＵＲ１３に対して７日である。使用規則ＵＲ２１、ＵＲ２２、及びＵＲ２３は許可されたコピー回数に関する。ＵＲ２１の条件値は「コピー禁止」に、ＵＲ２２は「１つのコピー許可」に、そしてＵＲ２３は「コピー制限無し」に対応する。
【００２５】
使用規則は、使用タイプを制御するパラメータのフォーマットの仕様を必要とする。例えば、使用規則は、遠隔アクセスが特定の日付以後に許可されるということを表わすことができ、この場合、パラメータは日付である。「コピー」カテゴリーは、「一回許可」、「無制限の許可」、又は「禁止」を意味する２ビット値に基づくことができる。レンタル期間使用タイプは、２つの日付（レンタル時期の開始及び終了）を用いて、又はレンタル期間の長さを表わす１つの値を用いてパラメータ化されることができる。
【００２６】
下表は、前述の４つの制御される使用タイプに対する１２の可能な使用規則の例を示す。
ＲＰ１＝１日            ＲＰ２＝３日        ＲＰ３＝１週間
ＣＹ１＝０              ＣＹ２＝１          ＣＹ３＝無制限
ＲＡＤ１＝決してない    ＲＡＤ２＝１日で    ＲＡＤ３＝直ちに
ＯＣ１＝強い            ＯＣ２＝中程度      ＯＣ３＝なし
【００２７】
イベントがいくつかのコンテンツブロックにより形成される点に留意する必要がある。本発明による使用規則は特定のコンテンツに適用される。しかしながら、通常、特定のイベントの各コンテンツに対する使用規則は同じものであり、その結果、それはイベントの使用規則に対応する。イベントの一部に対して異なる使用規則、例えばイベントの最初の数分間により制限的でない規則を適用することは可能である。
【００２８】
１つのサービスプロバイダによって指定される多数のマルチメディアユニットがいくつかの異なるコンテンツ保護技術を実施できるので、すべてのコンテンツ保護技術の必要にわたる制御された使用タイプのセットは、１つの技術のためにだけ必要とされるセットより幅広い。なぜならば技術はいろいろな能力及び制御精度を有することができるからである。他方では、所与の使用タイプは、大体の場合いくつかの技術に関係する。例えば、コンテンツ保護技術がコンテンツをコピーできる回数を制御することが可能であることは、可能性が非常に高い。この場合、コンテンツのコピーを制御するために管理センターによって知らされる使用規則は、実際のところ、コンテンツのコピーを管理するすべてのコンテンツ保護技術により解釈できる。マルチメディアユニットの内部実施は、知らされた使用規則を対象にされたコンテンツ保護技術に対応するパラメータ及びフォーマットにマップすることを担当している。２つの可能なシステムの実現がここにある。管理センターは、１つの使用タイプに対して、１つのフォーマットで、１つの使用規則だけを知らせることができ、各マルチメディアユニットがこの固有フォーマットを実施されるコンテンツ保護技術によって必要とされる特定のフォーマットにマップすることが可能である場合、これを行うことができる。第２の場合において、受信マルチメディアユニットがいろいろな使用規則を解釈することが可能であるように、管理センターはさまざまなコンテンツ保護技術に適合するフォーマットで同じ使用タイプに対していろいろな使用規則を知らせなければならないかもしれない。例えば、コンテンツのコピーを制御するために同じイベントとともに知らされる２つの使用規則があり、１つの規則は、コンテンツを１回コピーできることを告げるために値０１を有する２ビットを使用することができ、その一方で、他の規則は同じ目的のために１ビットを使用できる。
【００２９】
本発明の方法で用いられるコンテンツプロファイルＣＰは、いろいろな既存の使用タイプのための一組の使用規則ＵＲである。それは、使用規則の「完全なセット」、即ち、管理センターによって対象にされなければならないすべてのコンテンツ保護技術のための、即ち管理センターからのイベントを受信するマルチメディアユニットの全セットにより実施されるすべての技術のための各定義済みのタイプに適用される一組の使用規則である。下記の実施例は、上述の使用規則及び使用タイプに基づいて可能なコンテンツプロファイルを示す。
【００３０】
消費が厳格に制限されなければならない『高級なコンテンツ』のための２つのコンテンツプロファイルがありえる。
ＣＰｐｒｅｍ１：ＲＰ＝適用せず、ＣＹ＝０、ＲＡＤ＝決してない、ＯＣ＝強い、ＩＤ＝１１
ＣＰｐｒｅｍ２：ＲＰ＝１日、ＣＹ＝１、ＲＡＤ＝決してない、ＯＣ＝強い、ＩＤ＝１２
【００３１】
一般的な『レンタルのコンテンツ』のための３つのコンテンツプロファイルがありえる。
ＣＰｒｅｎｔ１：ＲＰ＝１日、ＣＹ＝１、ＲＡＤ＝決してない、ＯＣ＝中程度、ＩＤ＝２１
ＣＰｒｅｎｔ２：ＲＰ＝１日、ＣＹ＝１、ＲＡＤ＝即時、ＯＣ＝中程度、ＩＤ＝２２
ＣＰｒｅｎｔ３：ＲＰ＝１週、ＣＹ＝１、ＲＡＤ＝即時、ＯＣ＝中程度、ＩＤ＝２３
【００３２】
それらがライブであるときにより大きな価値を有するイベントの間の差異を可能にするライブ・イベントのための３つのコンテンツプロファイルがありえる。
ＣＰｌｉｖｅ１：ＲＰ＝無制限、ＣＹ＝１、ＲＡＤ＝決してない、ＯＣ＝なし、ＩＤ＝３１
ＣＰｌｉｖｅ２：ＲＰ＝無制限、ＣＹ＝１、ＲＡＤ＝１日後、ＯＣ＝なし、ＩＤ＝３２
ＣＰｌｉｖｅ３：ＲＰ＝無制限、ＣＹ＝無制限、ＲＡＤ＝『最後に』、ＯＣ＝なし、ＩＤ＝３３
【００３３】
いろいろなコンテンツ保護技術がいろいろな使用規則を必要とする場合、コンテンツプロファイルが以下の形でありえることに気づく必要がある。
ＣＰｌｉｖｅＸ：ＲＰ＝無制限、ＣＹ＿ｔｅｃｈｎｏ１＝１、ＣＹ＿ｔｅｃｈｎｏ２＝０１、…
【００３４】
各コンテンツプロファイルはまた、以下でその機能が説明される固有識別子ＩＤも含む。コンテンツプロファイルは図２にも示される。コンテンツプロファイルは、制御される使用タイプの数より少ない値を含むこともできる。これは、少なくとも１つのタイプがユーザプロファイルに規定されないことを意味する。このタイプの「部分的な」コンテンツプロファイルを処理する方法も以下で説明される。
【実施例１】
【００３５】
本発明の第１実施形態によれば、図３に示すように、いろいろな使用タイプのためのいろいろな使用規則ＵＲを含む、少なくとも２つの異なるコンテンツプロファイル（ＣＰ１、ＣＰ２、．．．、ＣＰｉ）が規定される（例えば、４つの使用タイプの場合：（ＣＰ１＝｛ＲＰ１、ＣＹ１、ＲＡＤ１；ＯＣ１｝、ＣＰ２＝｛ＲＰ２、ＣＹ２、ＲＡＤ２；ＯＣ２｝）。
【００３６】
後述するように、これらのコンテンツプロファイルは更なる使用のためにマルチメディアユニットＳＴＢに送られる。コンテンツプロファイル（ＣＰ１、ＣＰ２、．．．、ＣＰｉ）を管理センター（ＣＧ）からマルチメディアユニット（ＳＴＢ１、ＳＴＢ２）へ送信するために、各コンテンツプロファイルは１つあるいは複数の管理メッセージに導入される。これらのメッセージは従来のエンタイトルメント・メッセージＥＭＭであってもよく、又はそれらは特定のフォーマットを有していてもよい。いくつかのコンテンツプロファイルが通常同じメッセージで送られない点に留意する必要がある。
【００３７】
それでも、１つのコンテンツプロファイルのサイズが１つの管理メッセージで送られるにはあまりに大き過ぎる場合は、それはいくつかの連鎖メッセージで送られることが可能である。特に、システムはいくつかの使用タイプのカッティングに依存できる。大きいコンテンツプロファイルを送るために、システムは、コンテンツプロファイルを構成する使用規則（ＵＲ１１、ＵＲ１２、ＵＲ１３、ＵＲ２１、ＵＲ２２、ＵＲ２３、…）をむしろ別々に送ることができる。この場合、使用規則はコンテンツプロファイル識別子に関連付けられることができ、受信機はコンテンツプロファイル識別子を使用して、所与のコンテンツプロファイルに関与し、全コンテンツプロファイルを再構築する全ての使用規則を集めることができる。別々の使用規則が受信されるときに、コンテンツプロファイルのこの合成を実行できる。本発明の変形において、特定のイベントに適用されるコンテンツプロファイルの識別子が知らされるとき、合成は後で実行されることができる。
【００３８】
これらの管理メッセージは、通常、不正なユーザが使用規則を変えるのを防止するために暗号化される。
【００３９】
一旦コンテンツプロファイルＣＰ又は別々の使用規則ＵＲがマルチメディアユニットＳＴＢにより受信されると、それらはこのユニットのメモリに格納される。この第１実施形態において、管理メッセージは広域的であり、その結果、すべてのコンテンツプロファイルは、管理センターにより接続されるか又は管理されるすべてのマルチメディアユニットに送られる。これは、すべてのマルチメディアユニットが同じコンテンツプロファイル又は使用規則を受信して格納することを意味する。
【００４０】
理解されることができるように、管理メッセージ中のコンテンツプロファイル又は別々の使用規則を帯域外に送ることができる、即ち、これは例えばユーザにオーディオ／ビデオ・イベントを送るために利用できなければならないブロードバンドを使用しない。
【００４１】
周知のように、コンテンツのための制御語は、どの条件がコンテンツへのアクセスを可能にするために満たされなければならないかについて規定するアクセス条件と共にエンタイトルメント制御メッセージＥＣＭで送られる。
【００４２】
本発明の方法によると、制御メッセージはマルチメディアユニットＳＴＢに送られ、前記制御メッセージＥＣＭは少なくとも制御語及びコンテンツプロファイル識別子（ＣＰ＿ＩＤ１）を含む。この識別子は短い値（例えば１バイト長）であってもよく、その結果、それはフォーマットの変更を必要とせずに制御メッセージに導入可能である。このコンテンツプロファイル識別子は、マルチメディアユニットのメモリに格納されるすべてのコンテンツプロファイル中の１つのコンテンツプロファイルを検索することを可能にする。このコンテンツプロファイルは図３の実施例のＣＰ１である。
【００４３】
本発明の変形において、コンテンツプロファイルの構築は、前記コンテンツプロファイル識別子と関連付けられる別々に格納された使用規則をまとめることによって、コンテンツプロファイル識別子を受信する時点にほぼ実行できる。
【００４４】
本発明の別の変形において、制御メッセージは、使用規則識別子（ＵＲ＿ＩＤ１１、ＵＲ＿ＩＤ２１、ＵＲ＿ＩＤ３２）（使用タイプ毎に１つ）のリストを伝えることができる。この場合、制御メッセージのサイズはより大きいが、コンテンツプロファイル差別化の柔軟性はより良好である。なぜならば、管理センターはコンテンツプロファイルを作成する使用規則の特定の組合せを事前に定義する必要がないからである。
【００４５】
一旦正しいコンテンツプロファイルＣＰが識別されると、コンテンツはそれと関連付けられる。これは、コンテンツがマルチメディアユニットにより用いられるときに、この使用はそれがこのコンテンツに結び付いたコンテンツプロファイル識別子と関連付けられるすべての使用規則に対応するというように制御されることを意味する。コンテンツの使用は、ここで、コンテンツを見るためのアクセス、メモリにおける格納、コンテンツに対する遠隔アクセス、又は別の装置へのコンテンツの送信を含むが、それに限定されない。
【００４６】
この制御方法は、条件付きアクセス・データとともに通常使われるアクセス条件及びアクセス権の従来の確認を置き換えない点に留意する必要がある。この方法は、むしろ、コンテンツがどのように使用できるかについて制御する。
【００４７】
上記からよく理解できるように、本発明の方法のこの第１実施形態の利点は以下の通りである。
a)通常、制御メッセージＥＣＭは所有権を主張できる内部フォーマットを有する。このフォーマットは一般に２、３バイトの追加を可能にする。本発明の方法は、通常の制御メッセージ・フォーマットと完全に互換性があり、従ってほぼ変更なしに従来のマルチメディアユニットで使用可能である。
b)制御メッセージのサイズはあまり影響を受けず、それはコンテンツプロファイル又は別々の使用規則のシグナリングが重要な帯域幅を使用しないことを意味する。
c)コンテンツプロファイル識別子又は別々の使用規則識別子を担持している制御メッセージの部分のサイズは一定である。従って、コンテンツプロファイル識別子又は別々の使用規則識別子のシグナリングのためのメッセージの長さを導入する必要がない。特に、制御メッセージのサイズは、使用規則の複雑さに、又はシステムによって対象にされるコンテンツ保護技術の数の複雑さに依存しない。従って、多くの帯域幅を使用せずに、非常に複雑な規則を使うことができる。
【００４８】
要約すると、コンテンツプロファイル識別子だけ、又は１つの変形における使用規則識別子が使用規則が適用されるコンテンツとともにエンタイトルメント制御メッセージ内に送られるのに対して、すべてのコンテンツプロファイル又は別々の使用規則はあらゆるマルチメディアユニットに送られる。ユーザのマルチメディアユニットにおける使用規則のダウンロードは、制御メッセージ内で帯域幅を節約するだけでなくて、知らされる使用規則に関係なく制御メッセージ・フォーマットを定めることも可能にする。それ故、使用規則セマンティックス及びフィールドは、放送に影響を与えずに、いつでも変更できる。
【００４９】
図３から分かるように、各マルチメディアユニットＳＴＢ１、ＳＴＢ２は同じコンテンツ及び同じコンテンツプロファイル又は使用規則を受信する。このように、各マルチメディアユニットで、コンテンツは同じコンテンツプロファイルに関連付けられる。
【実施例２】
【００５０】
図４を参照して詳細に説明される、本発明の方法の第２実施形態によれば、コンテンツプロファイル（ＣＰ１、ＣＰ１、．．．、ＣＰｉ）は前述の通り定義され、管理センターに接続しているすべてのマルチメディアユニットＳＴＢに送られる。これらのメッセージは広域エンタイトルメント管理メッセージＥＭＭ―Ｇで送られることができる。この段階で、すべてのマルチメディアユニットは、第１実施形態のように、それらのメモリに格納される同じコンテンツプロファイルを有する。
【００５１】
管理センターＣＧにおいて、いくつかのユーザプロファイル（ＵＰ１、ＵＰ２、．．．）が定義される。この第２実施形態によれば、各マルチメディアユニットは、管理センターにおいて、１つのユーザプロファイル（ＵＰ１、ＵＰ２）に関連付けられる。この種のユーザプロファイルは、例えばユーザによって購入可能である。
【００５２】
正しいユーザプロファイルは、各対応する目標マルチメディアユニットに個別に送られる。ユーザプロファイルは、従来のエンタイトルメント制御メッセージＥＭＭで、又は関係のマルチメディアユニット宛てに独自に送られる等価なタイプのメッセージで送ることができる。同じユーザプロファイルを有するマルチメディアユニットのグループによってユーザプロファイルを送ることも可能である。
【００５３】
一旦マルチメディアユニットによって受信されると、ユーザプロファイル（ＵＰ１、ＵＰ２）はこのユニットに格納される。ユーザプロファイルと同様にコンテンツプロファイルは帯域外へ、即ちコンテンツから切り離して送られる。
【００５４】
この第２実施形態によれば、コンテンツＣ０が放送されるときに、それは制御メッセージＥＣＭと共に送られる。前述のように、この制御メッセージは制御語及びアクセス条件を含むことができる。それは更に１つあるいは複数のコンテンツプロファイル識別子ＣＰ＿ＩＤを含み、それらの各々はユーザプロファイル識別子ＵＰ＿ＩＤにリンクされ、また同じ制御メッセージで送られる。これは、コンテンツプロファイル識別子及びユーザプロファイル識別子が対でグループ化されることを意味する。
【００５５】
マルチメディアユニットが対応する制御メッセージと共にコンテンツＣ０を受信するときに、この特定のマルチメディアユニットのためのユーザプロファイルはメモリから検索される。次に、制御メッセージは、ユーザプロファイル識別子がマルチメディアユニットのメモリに格納されるユーザプロファイルに対応する一対（ユーザプロファイル識別子、コンテンツプロファイル識別子）を抽出するために処理される。これは、特定のコンテンツ及び特定のマルチメディアユニットＳＴＢの特定のコンテンツプロファイルを得ることを可能にする。
【００５６】
前述の実施形態のように、この特定のコンテンツのためのコンテンツプロファイルを、抽出されたコンテンツプロファイル識別子のおかげで見出せ、コンテンツはこのコンテンツプロファイルと共に格納される。
【００５７】
実施例が図４に示される。この実施例では、マルチメディアユニットＳＴＢ１及びＳＴＢ３はユーザプロファイルＵＰ１を有するが、ＳＴＢ２及びＳＴＢ４はユーザプロファイルＵＰ２を有する。
【００５８】
管理センターは、放送イベントと共に以下の対（｛ＵＰ＿ＩＤ１―ＣＰ＿ＩＤ１｝、｛ＵＰ＿ＩＤ２―ＣＰ＿ＩＤ１｝、｛ＵＰ＿ＩＤ３―ＣＰ＿ＩＤ２｝、｛ＵＰ＿ＩＤ４―ＣＰ＿ＩＤ２｝）を知らせることができる。
【００５９】
マルチメディアユニットが制御メッセージを受信するときに、それは対ＵＰ＿ＩＤ―ＣＰ＿ＩＤを抽出する。それからそれは、どのユーザプロファイルがそのメモリに記憶されるかについて決定する。マルチメディアユニットＳＴＢ１の場合は、このユーザプロファイルはＵＰ１である。ＳＴＢ４の場合は、このユーザプロファイルはＵＰ２である。対応するコンテンツプロファイル識別子は制御メッセージから抽出される。ＵＰ＿ＩＤ１はＣＰ＿―ＩＤ１に対応し、ＵＰ＿ＩＤ４は実施例のＣＰ＿ＩＤ２に対応する。
【００６０】
このように、マルチメディアユニットＳＴＢ１では、コンテンツＣ０はコンテンツプロファイルＣＰ１と共に格納されるが、ＳＴＢ４では、同じコンテンツはコンテンツプロファイルＣＰ２と共に格納される。
【００６１】
この場合は、第１及び第２のユーザプロファイルＵＰ１、ＵＰ２を有するユーザは、第１コンテンツプロファイルＣＰ１の使用規則により制御されるコンテンツを有し、第３及び第４のユーザプロファイルＵＰ３、ＵＰ４を有するユーザは、第２コンテンツプロファイルＣＰ２の使用規則により制御されるコンテンツを有する。このように、それが上記の実施例から理解できるように、同じ制御メッセージは異なるマルチメディアユニットに異なる影響を及ぼす。
【００６２】
いろいろなユーザプロファイルに関連するコンテンツプロファイルがファミリーに関連があるときに、この実施形態は特に有用である。例えば、コンテンツプロファイルが、ファミリー『高級なコンテンツ』のための２つのコンテンツプロファイル：
ＣＰｐｒｅｍ１：ＲＰ＝１日、ＣＰ＝１、ＲＡＤ＝決してない、ＯＣ＝強い、ＩＤ＝１１、
ＣＰｐｒｅｍ２：ＲＰ＝適用せず、ＣＰ＝０、ＲＡＤ＝決してない、ＯＣ＝強い、ＩＤ＝１２、
及びファミリー『ライブ・イベント』のための２つのコンテンツプロファイル：
ＣＰｌｉｖｅ１：ＲＰ＝無制限、ＣＰ＝無制限、ＲＡＤ＝『イベントの終了』、ＯＣ＝ない、ＩＤ＝２１、
ＣＰｌｉｖｅ２：ＲＰ＝無制限、ＣＰ＝１、ＲＡＤ＝決してない、ＯＣ＝ない、ＩＤ＝２２を含むと仮定する。
【００６３】
２つのファミリー「高級なコンテンツ」及び「ライブ・イベント」は、コンテンツ又はイベントのタイプの特徴を示している。遠隔アクセス日付が制御されなければならないフットボールの試合のように、ライブであるイベント、及びコピーが制御されなければならない高価な最近の映画のように、高級であるイベントが通常はある。それからイベントは、ファミリー「高級なコンテンツ」のコンテンツプロファイルと共に、又はファミリー「ライブ・イベント」のコンテンツプロファイルと共に知らされる。
【００６４】
ここで、ユーザプロファイル識別子ＵＰ―ＩＤ１を有するいくつかのユーザは、高級なコンテンツをレンタルして、できるだけ早く遠隔でライブ・イベントを見る権利を持つために支払っていたとしよう。次に、高級なイベントが放送されるときに、管理センターはエンタイトルメント制御メッセージＥＣＭを送り、そこではそれの代金を払ったユーザのユーザプロファイル識別子ＵＰ＿ＩＤ１がより柔軟性のあるコンテンツプロファイルＣＰｐｒｅｍ１と関連付けられ、他のユーザのユーザプロファイル識別子は、柔軟性の少ないコンテンツプロファイルＣＰｐｒｅｍ２、即ち（｛ＵＰ＿ＩＤ１−ＣＰｐｒｅｍ１＿ＩＤ｝、｛ＵＰ＿ＩＤ２−ＣＰｐｒｅｍ２＿ＩＤ｝、｛ＵＰ＿ＩＤ３−ＣＰｐｒｅｍ２＿ＩＤ｝）と関連付けられる。同様に、ライブ・イベントを、次のシグナリング：（｛ＵＰ＿ＩＤ１−ＣＰｌｉｖｅ１＿ＩＤ｝、｛ＵＰ＿ＩＤ２−ＣＰｌｉｖｅ２＿ＩＤ｝、｛ＵＰ＿ＩＤ３−ＣＰｌｉｖｅ２＿ＩＤ｝）と共に送ることが可能である。ここでわかるように、同じコンテンツはすべてのマルチメディアユニットで同じプロファイルコンテンツと関連付けられるというわけではない。
【００６５】
前述の実施形態のように、この実施形態は２つの変形を有することができることに注意する必要がある。１つでは、使用規則はコンテンツプロファイル識別子と共に別に知らされて、制御メッセージがコンテンツプロファイル識別子と共に受信されるときに、コンテンツプロファイルは後で構成され、１つでは、使用規則は使用規則識別子と共に別に知らされる。最後の場合に、制御メッセージは、コンテンツプロファイル識別子の代わりに、ユーザプロファイル識別子の使用規則識別子のセットとの関連を含まなければならない。
【実施例３】
【００６６】
第３実施形態によれば、ファミリーの概念は明確にされ、ユーザプロファイルとファミリーの関係は受信マルチメディアユニットの代わりに管理センターで完全に管理される。
【００６７】
第１及び第２実施形態と反し、すべてのコンテンツプロファイルがすべてのマルチメディアユニットに送られるというわけではない。１つのファミリーが１つのイベント・タイプのためのいろいろな可能なコンテンツプロファイルを含むというように、コンテンツプロファイルＣＰはファミリーに明確に分類される。
【００６８】
第２実施形態のように、各マルチメディアユニットは、管理センターにおいて、１つのユーザプロファイルＵＰ１、ＵＰ２、ＵＰ３、ＵＰ４に関連付けられる。各ユーザプロファイルは各ファミリーの１つのコンテンツプロファイルに関連付けられる。例えば、ユーザプロファイルＵＰ１は、「高級なイベント」ファミリーＦｐｒｅｍのコンテンツプロファイルＣＰｐｒｅｍ１に、及び「ライブ・イベント」ファミリーＦｌｉｖｅのＣＰｌｉｖｅに関連付けられ、ユーザプロファイルＵＰ２は、「高級なイベント」ファミリーのコンテンツプロファイルＣＰｐｒｅｍ２に、及び「ライブ・イベント」ファミリーのＣＰｌｉｖｅ２に関連付けられる。
【００６９】
コンテンツプロファイルは個々のエンタイルメント管理メッセージＥＭＭ―Ｕの対応するマルチメディアユニットに送られ、その結果、プロファイルＵＰ１を有するユーザのマルチメディアユニットＳＴＢ１はＣＰｐｒｅｍ１及びＣＰｌｉｖｅ１だけを受信するのに対して、プロファイルＵＰ２を有するユーザのマルチメディアユニットＳＴＢ２はＣＰｐｒｅｍ２及びＣＰｌｉｖｅ２だけを受信する。
【００７０】
コンテンツＣ０が対応する制御メッセージと共に放送されるときには、制御メッセージはコンテンツプロファイルファミリー識別子ＣＰＦ＿ＩＤを含む。このファミリー識別子はマルチメディアユニットにおいてこのメッセージから検索される。それは次に、所与のマルチメディアユニットに対してどのコンテンツプロファイルが適用されるかを決定するために用いられる。前の実施例において、コンテンツプロファイルファミリー識別子ＣＰＦ＿ＩＤがプロファイルＵＰ１を有するユーザのマルチメディアユニットＳＴＢ１で、『高級なイベント』ファミリーに対応する場合は、このファミリー識別子は、このファミリーのためのユニットにおいて、コンテンツＣ０をコンテンツプロファイル、即ちＣＰｐｒｅｍ１と関連付ける。マルチメディアユニットＳＴＢ２において、同じファミリー識別子はコンテンツをＣＰｐｒｅｍ２と関連付けることとなる。
【００７１】
従って、以上のように、同じ制御メッセージは両方のマルチメディアユニットに同じ結果を与えるというわけではない。
【００７２】
２つの前述の実施形態のように、この実施形態は使用規則の別々のシグナリングに関して２つの変形を有することができることに注意する必要がある。
【００７３】
この第３実施形態例は、制御メッセージのサイズが固定されたままであって、第１実施形態のように小さいという利点を有する。その一方で、この利点は、いくつかの対が同じコンテンツのために知らされる第２実施形態には無い。更に、このサイズは規則の複雑さに依存しない。従って、複雑な規則さえも、制御メッセージのフォーマットを変えずに、且つ帯域幅を無駄にすることなく、この実施形態において実施できる。
【００７４】
本発明の方法は４つの使用タイプに関して本願明細書に説明される。タイプの数が、より多くのタイプを有するか又はより少ないタイプを有するように変えることができることは明白でなければならない。
【００７５】
いろいろな実施形態において用いられる実施例において、コンテンツプロファイルＣＰはタイプについての各々の値を含む。本発明の変形によれば、コンテンツプロファイルの１つ以上のタイプの条件値を抑制することは可能である。この種の部分的なコンテンツプロファイルは、タイプ「出力制御」の値を有せずに、「レンタル期間」、「コピー」、及び「遠隔アクセス日付」の条件値を含むことができる。この場合、特定のコンテンツと共に送られる制御メッセージＥＣＭは欠落したタイプの条件を含むことができる。変形によれば、コンテンツプロファイルが使用タイプごとに値を含まない場合にデフォルト値のセットを使用することも可能である。デフォルト値のこのセットを、広域エンタイトルメント管理メッセージで管理センターに接続しているすべてのマルチメディアユニットに送ることができる。
【００７６】
特定の実施形態によれば、コンテンツプロファイルを構成する使用規則を、広域エンタイトルメント管理メッセージでコンテンツプロファイル識別子と共に別に送ることができる。これらの使用規則を、次にマルチメディアユニットに格納できる。マルチメディアユニットは、同じコンテンツプロファイル識別子を有する使用規則を分類することによって、コンテンツプロファイルを再構成できる。すべての使用規則がマルチメディアユニットから受信されるときに、又はそれが制御メッセージでコンテンツプロファイル識別子を受信するときに、この再編成を実行できる。
【図１】
2011525084.tif 000003
【図３】
2011525084.tif 000004
【図４】
2011525084.tif 000005
【図５】
2011525084.tif 000006
【図２】
2011525084.tif 000007
【手続補正書】
【提出日】平成23年4月15日(2011.4.15)
【手続補正１】
【補正対象書類名】明細書
【補正対象項目名】００１４
【補正方法】変更
【補正の内容】
【００１４】  これらの欠点を解決するために、本発明は条件付きアクセスコンテンツの使用を制御する方法を提案し、前記コンテンツは管理センターに接続している複数のマルチメディアユニットに送られ、前記方法は、  制御されたコンテンツ使用タイプを規定する段階と、  これらの制御されたコンテンツ使用タイプに対する条件値を設定することによって、少なくとも２つの制御されたコンテンツ使用タイプに対する一組の使用規則を規定する段階と、  前記少なくとも２つの制御されたコンテンツ使用タイプの内第一のものからの１つの使用規則を、前記少なくとも２つの制御されたコンテンツ使用タイプの内第二のものからの１つの使用規則と関連付けることによって、コンテンツプロファイルが作成される、少なくとも２つのコンテンツプロファイルを規定する段階と、  前記コンテンツプロファイルを含む管理メッセージを前記管理センターにリンクした少なくとも１組のマルチメディアユニットに送る段階と、  前記コンテンツプロファイルを関係する前記マルチメディアユニットに格納する段階と、  条件付きアクセスコンテンツを送り、前記コンテンツにリンクされることになっているコンテンツプロファイルを決定するための手段を少なくとも含む制御メッセージを一緒に送る段階と、  更に、 コンテンツ及び前記対応する制御メッセージのマルチメディアユニットによる受信に応じて、前記コンテンツにリンクされることになっているコンテンツプロファイルを決定するための手段を引き出す段階と、  前記マルチメディアユニットにおいて、前記コンテンツにリンクされることになっているコンテンツプロファイルを決定するための手段に対応する前記コンテンツプロファイルを検索する段階と、  前記コンテンツにリンクされることになっているコンテンツプロファイルに含まれる使用規則に従って前記マルチメディアユニットによって前記コンテンツを使用する段階と、を含む。
【手続補正２】
【補正対象書類名】明細書
【補正対象項目名】００１５
【補正方法】変更
【補正の内容】
【００１５】   ［ＤＶポート所有権］  本発明の目的は、条件付きアクセスコンテンツの使用を制御する方法によっても達成され、前記コンテンツは管理センターに接続している複数のマルチメディアユニットに送られ、前記方法は、  制御されたコンテンツ使用タイプを規定する段階と、  これらの制御されたコンテンツ使用タイプに対する条件値を設定することによって、少なくとも２つの制御されたコンテンツ使用タイプに対する一組の使用規則を規定する段階と、  前記少なくとも２つの制御されたコンテンツ使用タイプの内第一のものからの１つの使用規則を、前記少なくとも２つの制御されたコンテンツ使用タイプの内第二のものからの１つの使用規則と関連付けることによって、コンテンツプロファイルが作成される、少なくとも２つのコンテンツプロファイルを規定する段階と、  少なくとも２つのコンテンツプロファイルファミリーを規定する段階であって、各ファミリーは少なくとも１つのコンテンツプロファイルを含み、各コンテンツプロファイルファミリーは固有識別子を更に含む段階と、  管理センターにおいて、各マルチメディアユニットをユーザプロファイルと関連付ける段階と、  各ユーザプロファイルを各コンテンツプロファイルファミリーの１つのコンテンツプロファイルと関連付ける段階と、  各ファミリーの前記コンテンツプロファイルを関係するマルチメディアユニットに送る段階と、  各コンテンツプロファイルファミリーの前記コンテンツプロファイルを前記関係するマルチメディアユニットに格納する段階と、  条件付きアクセスコンテンツを送り、使われることになっているコンテンツプロファイルファミリーを決定するための手段を少なくとも含む制御メッセージを一緒に送る段階と、  更に、暗号化されたコンテンツ及び対応する制御メッセージのマルチメディアユニットによる受信に応じて、前記コンテンツにリンクされることになっている前記コンテンツプロファイルファミリーを決定するための前記手段を引き出す段階と、  前記マルチメディアユニットにおいて、前記コンテンツにリンクされることになっている前記コンテンツプロファイルファミリーを決定するための前記手段に対応する前記コンテンツプロファイルファミリーを検索する段階と、  前記マルチメディアユニットにおいて、前記決定されたコンテンツプロファイルファミリーの前記コンテンツプロファイルの中で前記コンテンツにリンクされる前記コンテンツプロファイルを検索する段階と、  前記コンテンツにリンクされることになっている前記コンテンツプロファイルに含まれる前記使用規則に従って前記マルチメディアユニットによって前記コンテンツを使用する段階と、を含む。
【手続補正３】
【補正対象書類名】特許請求の範囲
【補正対象項目名】請求項１
【補正方法】変更
【補正の内容】
【請求項１】
条件付きアクセスコンテンツ(Ｃ０)の使用を制御する方法において、前記コンテンツは管理センター（ＣＧ）に接続している複数のマルチメディアユニット（ＳＴＢ）に送られる方法であって、  制御されたコンテンツ使用タイプを規定する段階と、  これらの制御されたコンテンツ使用タイプに対する条件値を設定することによって、少なくとも２つの制御されたコンテンツ使用タイプに対する一組の使用規則（ＵＲ）を規定する段階と、  前記少なくとも２つの制御されたコンテンツ使用タイプの内第一のものからの１つの使用規則を、前記少なくとも２つの制御されたコンテンツ使用タイプの内第二のものからの１つの使用規則と関連付けることによって、コンテンツプロファイルが作成される、少なくとも２つのコンテンツプロファイル（ＣＰ）を規定する段階と、  前記コンテンツプロファイル（ＣＰ）を含む管理メッセージを前記管理センターにリンクした少なくとも１組のマルチメディアユニット（ＳＴＢ）に送る段階と、  前記コンテンツプロファイル（ＣＰ）を前記関係するマルチメディアユニットに格納する段階と、  前記条件付きアクセスコンテンツ(Ｃ０)を送り、前記コンテンツ(Ｃ０)にリンクされることになっている前記コンテンツプロファイル（ＣＰ）を決定するための手段を少なくとも含む制御メッセージ（ＥＣＭ）を一緒に送る段階と、  更に、前記暗号化されたコンテンツ(Ｃ０)及び前記対応する制御メッセージ（ＥＣＭ）のマルチメディアユニットによる受信に応じて、前記コンテンツにリンクされることになっている前記コンテンツプロファイルを決定するための前記手段を引き出す段階と、  前記マルチメディアユニットにおいて、前記コンテンツにリンクされることになっている前記コンテンツプロファイルを決定するための前記手段に対応する前記コンテンツプロファイルを検索する段階と、  前記コンテンツにリンクされることになっている前記コンテンツプロファイルに含まれる前記使用規則に従って前記マルチメディアユニットによって、前記コンテンツ(Ｃ０)を使用する段階と、  を含む方法。
【手続補正４】
【補正対象書類名】特許請求の範囲
【補正対象項目名】請求項１８
【補正方法】変更
【補正の内容】
【請求項１８】
条件付きアクセスコンテンツ(Ｃ０)の使用を制御する方法において、前記コンテンツは管理センター（ＣＧ）に接続している複数のマルチメディアユニット（ＳＴＢ）に送られる方法であって、  制御されたコンテンツ使用タイプを規定する段階と、  これらの制御されたコンテンツ使用タイプに対する条件値を設定することによって、少なくとも２つの制御されたコンテンツ使用タイプに対する一組の使用規則（ＵＲ）を規定する段階と、  前記少なくとも２つの制御されたコンテンツ使用タイプの内第一のものからの１つの使用規則を、前記少なくとも２つの制御されたコンテンツ使用タイプの内第二のものからの１つの使用規則と関連付けることによって、コンテンツプロファイルが作成される、少なくとも２つのコンテンツプロファイル（ＣＰ）を規定する段階と、  少なくとも２つのコンテンツプロファイルファミリー（ＣＰＦ）を規定する段階であって、各ファミリーは少なくとも１つのコンテンツプロファイル（ＣＰ）を含み、各コンテンツプロファイルファミリーは固有識別子を更に含む段階と、  前記管理センター（ＣＧ）において、各マルチメディアユニットをユーザプロファイル（ＵＰ）と関連付ける段階と、  各ユーザプロファイルを各コンテンツプロファイルファミリー（ＣＰＦ）の１つのコンテンツプロファイル（ＣＰ）と関連付ける段階と、  各ファミリーの前記コンテンツプロファイルを前記関係するマルチメディアユニットに送る段階と、  各コンテンツプロファイルファミリーの前記コンテンツプロファイル（ＣＰ）を前記関係のマルチメディアユニットに格納する段階と、  前記条件付きアクセスコンテンツ(Ｃ０)を送り、使われることになっている前記コンテンツプロファイルファミリー（ＣＰＦ）を決定するための手段を少なくとも含む制御メッセージ（ＥＣＭ）を一緒に送る段階と、  更に、前記暗号化されたコンテンツ(Ｃ０)及び前記対応する制御メッセージ（ＥＣＭ）のマルチメディアユニットによる受信に応じて、前記コンテンツにリンクされることになっている前記コンテンツプロファイルファミリーを決定するための前記手段を引き出す段階と、  前記マルチメディアユニットにおいて、前記コンテンツにリンクされることになっている前記コンテンツプロファイルファミリーを決定するための前記手段に対応する前記コンテンツプロファイルファミリーを検索する段階と、  前記マルチメディアユニットにおいて、前記決定されたコンテンツプロファイルファミリーの前記コンテンツプロファイルの中で前記コンテンツにリンクされる前記コンテンツプロファイルを検索する段階と、  前記コンテンツにリンクされることになっている前記コンテンツプロファイルに含まれる前記使用規則に従って前記マルチメディアユニットによって、前記コンテンツ(Ｃ０)を使用する段階と、  を含む方法。
【国際調査報告】
2011525084.tif 000008
2011525084.tif 000009
2011525084.tif 000010